(57)【特許請求の範囲】
【請求項１】
使い捨ておむつの肌側面に添えて使用される補助パッドにおいて、
該補助パッドは、少なくとも２枚のシートで吸収性コアを挟んで積層したものであり、
該吸収性コアが、狭い幅寸法の股部分と、この股部分より広い幅寸法の前部及び後部を備え、
前記吸収性コアの後部は前記吸収性コアの前部よりも幅寸法が広いものであり、
前記シートの少なくとも１枚が、前記後部の前記吸収性コアの側縁に沿って折り返されたものであるとともに、
前記吸収性コアの前部に位置する補助パッドの腹側部では、前記吸収性コアの側縁が前記補助パッドの端部よりも手前になっており、補助パッドの腹側部の縁部分では吸収性コアが存在せず前記シートのうちの少なくとも２枚が積層されていることを特徴とする補助パッド。
【請求項２】
前記後部の側縁に沿って折り返されるシートが、不透液性のバックシートである請求項１に記載の補助パッド。
【発明の詳細な説明】
【技術分野】
【０００１】
本発明は、使い捨ておむつの肌側に重ねる様に添えて用いる補助パッドに関するものである。
【背景技術】
【０００２】
使い捨ておむつは透液性のトップシートと不透液性のバックシートの間に吸収性コアを介装したものとなっており、これに更にサイドシートを肌側両側部分に設け、横漏れ防止を図ったものが一般に知られている。
【０００３】
ところで従前では使い捨ておむつは失禁の量の多少にかかわらず交換することを前提とされていたが、失禁量が少なく失禁回数が多い様な場合には、交換の手間を省いたり、経済性の観点から、使い捨ておむつの肌側に補助パッドを重ね、必要に応じて補助パッドのみを取り替えたり、或いはおむつ全体を取り替えることがしばしば行われている。
【０００４】
上記補助パッドは、使い捨ておむつと同様に、一般に透液性のトップシートと不透液性のバックシートの間に吸収性コアを介装した構造となっており、使い捨ておむつよりも小ぶりで、部品点数が少ないことから安価なものとなっている。
【０００５】
補助パッドの取り付けに際しては、使い捨ておむつのトップシートとサイドシートの間に補助パッドの側縁部分を挿入する様にして、補助パッドが容易にズレない様にしている（例えば、特許文献１参照）。
【特許文献１】国際公開番号ＷＯ０１／３９７１４号公報（例えば第５頁、第５，６図）
【発明の開示】
【発明が解決しようとする課題】
【０００６】
補助パッドの形状としては長方形の他、脚繰りが窪んだ砂時計型や、更に後側の左右張り出しを大きくしたひょうたん型が知られており、これら砂時計型やひょうたん型は使い捨ておむつの肌側面をしっかりと覆うことが出来るので好ましい。しかし上記砂時計型やひょうたん型の補助パッドは、左右に張り出した部分を有する為にこの張り出し部分がヒラつき、使い捨ておむつのトップシートとサイドシートの間に上手く挿入できない場合がある。
【０００７】
そこで本発明は上記の様な事情に着目してなされたものであって、その目的は、砂時計型やひょうたん型の様に張り出し部分を有する補助パッドにおいて、使い捨ておむつの装着に際しての操作性を向上させることにある。
【課題を解決するための手段】
【０００８】
本発明に係る補助パッドは、使い捨ておむつの肌側面に添えて使用される補助パッドであって、該補助パッドが少なくとも２枚のシートと吸収性コアを積層したものであり、該吸収性コアが、狭い幅寸法の股部分と、この股部分より広い幅寸法の前部及び後部を備え、前記シートの少なくとも１枚が、前記前部及び／または前記後部の前記吸収性コアの側縁に沿って折り返されたものであることを特徴とする。
【０００９】
従来の砂時計型やひょうたん型といった補助パッド９０では、その左右の張り出し部分は、吸収性コア１２の端１２ｅが補助パッド張り出し端９０ｅより手前の位置となって、この吸収性コア１２を挟む２枚のシート６５，６６が補助パッド張り出し端９０ｅまで延びて該シート６５，６６同士が接着剤や熱融着によって接合された構造となっている（図１０：従来の補助パッド９０を示す断面図）。この様に吸収性コア端１２ｅを補助パッド張り出し端９０ｅより手前の位置とするのは、仮に吸収性コア端１２ｅが張り出し端９０ｅまで至っていると、吸収性コア端１２ｅが露出することになるので、そのワタ材等（粉砕した親水性繊維や粒状の高分子吸水体等）が解れ出てしまう懸念があるからである。しかしながら上記シートだけで構成された張り出し端部分９０ａは薄く柔らかいので、従来ではこの張り出し端部分９０ａがヒラついて折れ曲がり易く、これが原因で使い捨ておむつのトップシートとサイドシートの間に上手く挿入できないようになっていたと考えられる。
【００１０】
これに対して本発明では上述の様に、シートの少なくとも１枚が前部及び／または後部の吸収性コア側縁１８ｅに沿って折り返されたもの、即ち吸収性コア側縁１８ｅに沿ってシートが巻き付けられたものであるので、補助パッド張り出し端まで吸収性コア１２が位置することとなり、従ってヒラつかずにしっかりとし、使い捨ておむつに上手く挿着できる上、シートで吸収性コア端が覆われているから、吸収性コアのワタ材等が解れ出る懸念がない（例えば後述の図２参照）。加えて折り返したシートの分だけ補助パッド張り出し端縁部分がよりしっかりとするので、張り出し端部分の取り扱いが一層良好になり、この点でも使い捨ておむつへの挿着操作性が向上する。
【００１１】
なお前記前部及び／または前記後部の側縁に沿って折り返される前記シートとしては、補助パッドに用いられる不透液性のバックシート，透液性のトップシート，肌側両側部分に設けられるサイドシート等、いずれのシートであっても良い。
【００１２】
尤も、不透液性のバックシートや撥水性のサイドシートであれば、吸収性コア内に浸透した尿等が補助パッド端からしみ出るのを防止することができるので好ましい。より好ましくは上記不透液性のバックシートであり、防水性に優れるからである。
【００１３】
また上記折り返されるシートは１枚に限らず、２枚以上であっても良く、例えばトップシートとバックシートの両方で折り返す様にしても良い。尤もあまり折り返すシート枚数を多くすると、補助パッド張り出し端縁部分が硬くなって却って扱い辛くなるので、枚数は１枚が最も好ましい。
【００１４】
加えて吸収性コアの前部及び後部の両方について上記の如くシートで折り返すのが好ましいが、ひょうたん型補助パッドの様に吸収性コアの後部が前部よりも幅寸法が広いものの場合には、前記後部において折り返されていれば良い。
【００１５】
この様に吸収性コアの後部の幅寸法が広いものの場合、仮に従来の様に吸収性コアの側端よりもシートが張り出したものとすると、ヒラつきによる問題が大きく現れるのは後部であり、従ってこの後部においてシートを折り返すことが望ましいのである。
【００１６】
これに対して前部は後部に比べて左右への張り出しが小さいので、この張り出した先がシート材料だけで構成されたものであっても、後部ほどにはヒラつきの問題が生じ難い。そして後部のみについて吸収性コア側縁に沿ってシートを折り返し、前部はシートを折り返さない補助パッドとした場合には、前後の形状が異なったものとなるので、前後の見分けがつき易いという利点がある。
【００１７】
加えて、ひょうたん型の様に前後で段違いとなっているものでは、前部，後部の両方において吸収性コア側縁に沿ってシートを折り返すとすると、製造装置が複雑となるので、製造設備コストの観点から、後部のみについてシートを折り返したものであることが好ましい。
【発明の効果】
【００１８】
本発明に係る補助パッドによれば、砂時計型やひょうたん型の様に左右に張り出した部分を有するものでありながらも、この張り出し部分がしっかりとしてヒラつかないので、使い捨ておむつへの装着の際、つまりトップシートとサイドシートの間等に補助パッドの側縁部分を挿入する際の操作性が良好であり、使い捨ておむつに上手く装着することができる。従って介護者等の労力を軽減できる。
【発明を実施するための最良の形態】
【００１９】
＜実施形態１＞
図１は本発明の実施形態１に係る補助パッド１０を示す正面図であり、図２は図１に示すＸ−Ｘ線断面図である。また図３はこの補助パッド１０を取り付ける使い捨ておむつ８０の一例を示す正面図である。尚図３において補助パッド１０を仮想線（二点鎖線）で示している。
【００２０】
まず補助パッド１０を取り付けるアウターとなる使い捨ておむつ８０について説明する（図３）。
【００２１】
使い捨ておむつ８０は、吸収体５１を挟んで不透液性（或いは不透液性透湿性）のバックシート５２と透液性のトップシート５３が積層されたものであって、その外形は概ね長方形の長辺側の中央が窪んだ砂時計型をしている。この窪み部分が股部５４となり、該股部５４に連なって広くなっている一方が背側部５５で、他方が腹側部５６である。
【００２２】
該おむつ８０においては、両側縁長手方向にトップシート５３に重ねてサイドシート５７が設けられており、このサイドシート５７の中央側端部に立体用弾性糸条５８が配されて該サイドシート５７が肌側に向かって立ち上がる様になっている。尚このサイドシート５７とトップシート５３の間に、後述の補助パッド１０の縁部分１９ａ，１９ｂ，１９ｃが挿入されることとなる。
【００２３】
更におむつ８０の両側縁長手方向に脚回用弾性糸条５９が配置されており、これによって脚繰りの股下位置のフィット性が向上し、また胴回り方向にウエスト用弾性糸条６１が配置されており、これによってウエスト部分のフィット性が向上する。
【００２４】
使い捨ておむつ８０の背側部５５における両翼片５５ａの先端の部分には、鈎型係合部材６２を備えた止着テープ６３が取り付けられ、一方、腹側部５６の反肌側面（外側面）にはループ型係合部材６４が設けられており、このループ型係合部材６４に上記鈎型係合部材６２を係合させて着用する様になっている。
【００２５】
次に実施形態１の補助パッド１０について説明する（図１，２）。
【００２６】
補助パッド１０は、吸収性コア１２を挟んで不透液性（或いは不透液性透湿性）のバックシート１１と透液性のトップシート１３が積層されたものであって、その外形は概ね長方形の長辺側の中央が窪んだ砂時計型をしている。この窪み部分が股部Ｂとなり、該股部Ｂに連なって広くなっている一方が背側部Ｃで、他方が腹側部Ａである。該補助パッド１０においては、両側縁長手方向にトップシート１３に重ねてサイドシート１４が設けられており、このサイドシート１４の中央側端部に立体用弾性糸条１５が配されて該サイドシート１４が肌側に向かって立ち上がる様になっている。尚図２においてサイドシート１４が立ち上がった様子を表し、図１においてはサイドシート１４が寝た状態で表している。
【００２７】
上記吸収性コア１２は、狭い幅寸法の股部分１６と、この股部分１６より広い幅寸法の前部１７と、この前部１７よりも幅寸法が広い後部１８を有するものであり、換言すると、吸収性コア１２は長辺側の中央（股部分１６）が窪み、前部１７に比べて後部１８が左右に大きく張り出したひょうたん型をしている。
【００２８】
そして補助パッド１０の背側部Ｃにおいては、図２に示す様に、吸収性コア後部１８の左右の側縁（端）１８ｅを巻き付ける様にして該側縁１８ｅに沿ってバックシート１１が折り返されている。そしてこのバックシート１１の折り返し箇所に上記トップシート１３が重なり、更に上記サイドシート１４が重なったものとなっている。つまり補助パッド１０の背側部Ｃの縁部分１９ｃでは、その端まで吸収性コア１２が存在してしっかりとしたものとなっており、ヒラつかない。
【００２９】
補助パッド１０の腹側部Ａ及び股部Ｂでは、吸収性コア前部１７及び股部分１６の側縁１７ｅ，１６ｅが補助パッド腹側部Ａの端部１０ｅよりも手前となっており、補助パッド腹側部Ａ，補助パッド股部Ｂの縁部分１９ａ，１９ｂでは吸収性コア１２が存在せず、バックシート１１，トップシート１３，サイドシート１４のみが積層された構造となっているが、あまり大きく張り出してはいないので、ヒラつきの問題は少ない。
【００３０】
なお上記各シート１１，１３，１４及び吸収性コア１２はそれぞれその積層部分の要所要所において接着剤或いは熱融着により接合されている。尚図２では、接着剤或いは熱融着部を省略して表しているが、同図に接着剤或いは熱融着部を表したもの（×××で表す）として図１１を補足的に示す。
【００３１】
上記補助パッド１０を上記使い捨ておむつ８０に装着するにあたっては、上記の通り補助パッド背側部Ｃの縁部分１９ｃはヒラヒラしたものでないから折れ曲がることがなく、しっかりとしているから取り扱い易く、使い捨ておむつ８０のサイドシート５７とトップシート５３の間に挿入する操作がやり易い。
【００３２】
また不透水性のバックシート１１で吸収性コア側縁１８ｅが巻かれているので、吸収性コア１２に染みこんだ尿等が補助パッド１０の背側部Ｃの端部１０ｅよりしみ出すことが殆どない。
【００３３】
尚バックシート１１としては、撥水性不織布材料（スパンボンド不織布，メルトブロー不織布，ＳＭＳ不織布等）やプラスチックフィルム、またその複合材料が挙げられる。上記プラスチックフィルムとしては通気性であっても非通気性であっても良いが、より好適な態様としては通気性プラスチックフィルムである。また一層好ましくは目付１５〜５０ｇ／ｍ２の通気性ポリエチレンフィルムである。
【００３４】
＜実施形態２＞
図４は本発明の実施形態２に係る補助パッド２０を示す正面図である。尚、図１と同じ構成部分については同一の符号を付して重複説明を避ける。
【００３５】
上記実施形態１では吸収性コア１２がひょうたん型をしたものであったが、本実施形態２では、吸収性コア２２は、その前部２７と後部１８の幅寸法が同じで、これらよりも股部分１６の幅寸法が狭い砂時計型をしている。また実施形態１では吸収性コア１２の前部１７の側縁１７ｅについてはこの側縁１７ｅに沿ってシートを折り返さない構成のものを示したが、本実施形態２では吸収性コア２２の前部２７，後部１８のいずれもその左右の側縁１８ｅ，２７ｅに沿ってバックシート１１が折り返されたものである。他の構成は実施形態１と同じである。
【００３６】
本実施形態２の補助パッド２０において、上記使い捨ておむつ８０に装着するにあたり、補助パッド背側部Ｃの縁部分１９ｃ及び補助パッド腹側部Ａの縁部分２９ａはいずれもヒラつかず、またしっかりとしているから取り扱い性が易く、使い捨ておむつ８０のサイドシート５７とトップシート５３の間に挿入する際の操作性が良い。
【００３７】
＜実施形態３〜１０＞
図５〜９は本発明の実施形態３〜１０に係る補助パッド３０，４０，５０，６０，７０，１００，１１０，１２０を示す断面図であり、図１に示すＸ−Ｘ線断面に相当する箇所の図である。尚、図２と同じ構成部分については同一の符号を付して重複説明を避ける。
【００３８】
図５に示す実施形態３の補助パッド３０及び図１３に示す実施形態４の補助パッド１１０は、上記実施形態１と異なり、サイドシート１４を有しない構成のものであり、実施形態３（補助パッド３０）ではバックシート１１の折返し部分がトップシート１３より外側、実施形態４（補助パッド１１０）ではトップシート１３の方が外側となったものである。
【００３９】
図６に示す実施形態５の補助パッド４０は、実施形態１と異なり、バックシート１１がトップシート１３及びサイドシート１４の端部分を外側から覆う様にしつつ、吸収性コア側縁１８ｅに沿って折り返されたものである。また図１２に示す実施形態６の補助パッド１００は、実施形態１と異なり、折り返されたバックシート１１の部分がトップシート１３とサイドシート１４の間に挟まれた位置となったものである。
【００４０】
図７に示す実施形態７の補助パッド５０及び図１４に示す実施形態８の補助パッド１２０は、バックシート１１は折り返されずに、サイドシート１４が吸収性コア側縁１８ｅに沿って折り返されたものであり、実施形態７（補助パッド５０）ではサイドシート１４の折返し部分よりバックシート１１が外側、実施形態８（補助パッド１２０）ではサイドシート１４の折返し部分の方が外側となったものである。
【００４１】
図８に示す実施形態９の補助パッド６０及び図９に示す実施形態１０の補助パッド７０は、いずれもバックシート１１とサイドシート１４の両方が吸収性コア側縁１８ｅに沿って折り返されたものであり、実施形態９（補助パッド６０）ではサイドシート１４が外側、実施形態１０（補助パッド７０）ではバックシート１１が外側となったものである。
【００４２】
尚上記実施形態７，８（補助パッド５０，１２０）の様にサイドシート１４のみで吸収性コア側縁１８ｅを巻き付けたものにおいても、サイドシート１４は撥水性を有するから、吸収性コア１２に染みこんだ尿等が補助パッド１０の端部１０ｅよりしみ出すことが殆どない。
【００４３】
サイドシート１４としては、スパンボンド不織布，メルトブロー不織布，ＳＭＳ不織布等の、通気性があって撥水性である不織布材料が挙げられ、好ましくは目付１０〜２５ｇ／ｍ２の撥水性不織布材料が挙げられる。
【００４４】
以上のように本発明に係る補助パッドに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【図面の簡単な説明】
【００４５】
【図１】本発明の実施形態１に係る補助パッドを示す正面図である。
【図２】図１に示すＸ−Ｘ線断面図である。
【図３】実施形態１の補助パッドを取り付ける使い捨ておむつの一例を示す正面図である。
【図４】本発明の実施形態２に係る補助パッドを示す正面図である。
【図５】本発明の実施形態３に係る補助パッドを示す断面図である。
【図６】本発明の実施形態５に係る補助パッドを示す断面図である。
【図７】本発明の実施形態７に係る補助パッドを示す断面図である。
【図８】本発明の実施形態９に係る補助パッドを示す断面図である。
【図９】本発明の実施形態１０に係る補助パッドを示す断面図である。
【図１０】従来の補助パッドを示す断面図である。
【図１１】図２に示す実施形態１の補助パッドについて接着剤等を表した断面図である。
【図１２】本発明の実施形態６に係る補助パッドを示す正面図である。
【図１３】本発明の実施形態４に係る補助パッドを示す断面図である。
【図１４】本発明の実施形態８に係る補助パッドを示す断面図である。
【符号の説明】
【００４６】
１０，２０，３０，４０，５０，６０，７０，１００，１１０，１２０  補助パッド
１１  バックシート
１２，２２  吸収性コア
１３  トップシート
１４  サイドシート
１６  股部分
１７，２７  前部
１８  後部
１８ｅ  吸収性コア後部の側縁
１９ｃ  補助パッド背側部の縁部分
２７ｅ  吸収性コア前部の側縁
２９ａ  補助パッド腹側部の縁部分
Ａ  補助パッドの腹側部
Ｂ  補助パッドの股部
Ｃ  補助パッドの背側部
【図１】
0004616089.tif 000002
【図２】
0004616089.tif 000003
【図３】
0004616089.tif 000004
【図４】
0004616089.tif 000005
【図５】
0004616089.tif 000006
【図６】
0004616089.tif 000007
【図７】
0004616089.tif 000008
【図８】
0004616089.tif 000009
【図９】
0004616089.tif 000010
【図１０】
0004616089.tif 000011
【図１１】
0004616089.tif 000012
【図１２】
0004616089.tif 000013
【図１３】
0004616089.tif 000014
【図１４】
0004616089.tif 000015